(57)【特許請求の範囲】
【請求項１】
柔軟性を有する三次元の物品を作製する製造方法であり、
上記柔軟性を有する三次元の物品は、層状型板（２０）を含まないものであって、柔軟性を有する材料を平坦に裁断した裁断片から構成される表地から作られ、
上記製造方法は、
上記表地を形成する裁断片（４）を裁断する工程、
作製対象の三次元の物品の体積に対応する容積が互いの間に画定されている金型（１−２）および対金型（３）を用意する工程、
互いの間にチャネル部（６）および間隙（８−９）を画定する上記金型（１−２）および上記対金型（３）の間に、上記表地を形成する裁断片（４）を載置する工程、
上記チャネル部および間隙を介して樹脂材を注入する工程、および
注入した上記樹脂材が凝固した後、上記金型（１−２）を開き、作製した上記柔軟性を有する三次元の物品を回収する工程を含み、
上記表地を形成する裁断片（４）が、柔軟性を有する上記層状型板（２０）上に固定され、上記層状型板（２０）上の上記表地を形成する裁断片（４）の固定位置は、上記表地を形成する裁断片（４）が作製対象の上記柔軟性を有する三次元の物品の表地上で占める位置に対応する位置であり、
上記金型および上記対金型は、上記表地を形成する裁断片（４）が作製対象の上記柔軟性を有する三次元の物品の表地上で占める領域内にリッジ部を含まない対向面を有し、
上記柔軟性を有する層状型板（２０）は、上記表地を形成する裁断片（４）と一緒に上記金型（１）の内面上に配置され、上記金型（１）の内面上に配置される上記表地を形成する裁断片（４）は上記対金型（３）と対向し、かつ、
上記チャネル部（６）のチャネル網が上記柔軟性を有する層状型板（２０）および上記対金型（３）の間に画定され、上記樹脂材は上記チャネル部（６）のチャネル網を介して注入され、上記チャネル部（６）のチャネル網は、上記表地（６）を形成する、連続する裁断片（４）を互いから隔てるライン（１４）と一致することを特徴とする、製造方法。
【請求項２】
上記表地を形成する裁断片（４）は、刈り込まれた縁部（５）を有していることを特徴とする請求項１に記載の製造方法。
【請求項３】
上記柔軟性を有する三次元の物品は、上記対金型（３）の表面上に配置される個々の裁断片（１５）から形成される裏地を備えていることを特徴とする請求項１に記載の製造方法。
【請求項４】
上記表地を形成する皮革の裁断片（４）を互いから隔てる上記ライン（１４）および上記裏地を形成する裁断片（１５）を互いから隔てるライン（１６）は互いに一致し、注入される上記樹脂材は、上記表地を形成する皮革の裁断片（４）および上記裏地を形成する裁断片を結合するよう作用することを特徴とする請求項３に記載の製造方法。
【請求項５】
上記裏地を形成する裁断片（１５）は、層状型板上の裏地形成に対応する位置に固定され、
上記層状型板は、その後、上記対金型（３）の表面形状にされることを特徴とする請求項３に記載の製造方法。
【請求項６】
上記表地を形成する裁断片および上記裏地を形成する裁断片は、接着剤を用いて上記層状型板上に固定されることを特徴とする請求項５に記載の製造方法。
【請求項７】
上記表地を形成する裁断片（４）が表面上に固定される、上記柔軟性を有する層状型板（２０）は、樹脂材からなる帯電シートまたは帯電フィルムから構成されることを特徴とする請求項１に記載の製造方法。
【請求項８】
上記裏地を形成する裁断片（１５）が表面上に固定される上記層状型板は、樹脂材からなる帯電シートまたは帯電フィルムから構成されることを特徴とする請求項５に記載の製造方法。
【請求項９】
上記金型および上記対金型の間に画定される容積は、上記表地を形成する裁断片および裏地を形成する裁断片に割り当てられる容積を制限する充填部によって占められることを特徴とする請求項１に記載の製造方法。
【請求項１０】
上記金型の上記表地に対応する表面は、皮革の裁断片の隣接する縁部の深さよりも高さの高いリッジ部（１９）によって制限されることを特徴とする請求項１に記載の製造方法。
【請求項１１】
上記金型の表面および／または上記表地を形成する裁断片が配置される上記層状型板の内面上に、注入対象の上記樹脂材を弾く物質が塗布されていることを特徴とする請求項１に記載の製造方法。
【請求項１２】
上記対金型および／または上記裏地の内面上に、注入対象の上記樹脂材を弾く物質が塗布されていることを特徴とする請求項３に記載の製造方法。
【発明の詳細な説明】
【技術分野】
【０００１】
本発明は、履物、衣類、鞄などの柔軟性を有する三次元の物品の製造（換言すれば、隣接する端部で互いに継ぎ合わされた、柔軟性な材料（例えば、天然および合成皮革）の裁断片から成る物品全ての製造）の方法を指す。
【０００２】
本発明の方法は、上述の特性を備える物品の製造方法に適用される。こうした物品は裏地を有していてもよく、上記裏地は表地と同様に、隣接する端部で繋ぎ合わされた、柔軟性を有する材料の裁断片から成るものであってもよい。
【０００３】
より具体的には、本発明の方法は、金型および対金型を用いて、上述の特性を備える物品を製造するように設計されている。表地を形成する裁断片は金型に配置され、裏地を形成する裁断片は対金型に配置される。これら裁断片は、金型および対金型の間に注入される樹脂材により継ぎ合わされる。上述の方法を使用することにより、物品の表地を形成する裁断片および物品の裏地を形成する裁断片が継ぎ目無く継ぎ合わされる。
【背景技術】
【０００４】
この種類の履物の製造方法は、本出願と同一の出願人による他のＰＣＴ出願第ＥＳ２０１０／０００１０８号に記載されている。
【０００５】
ＰＣＴ出願第ＥＳ２０１０／０００１０８号によれば、製造方法は、履物の甲部を形成する切片を裁断する工程と、履物の甲部および足底部の両部に要求される体積が互いの間で算出されている金型および対金型を用意する工程とを伴う。
【０００６】
金型は少なくとも２つの部分を備えている。これは、金型の部分の分離時、金型が開いた状態を維持することにより、履物の甲部を形成する裁断片を導入できるよう確実にするためである。同様のことは対金型についても適用される。対金型は、履物の型の形状に構成されている。上記金型の内面からは小さなリッジ部が突出しているが、突出しているリッジ部の高さは、履物の甲部を形成する裁断片の深度を超えることがないようにされている。上記リッジ部は、履物甲部の形成時の裁断片の縁取りおよび位置と適合するような領域を画定する。
【０００７】
その後、履物甲部を形成する裁断片は、履物の型が挿入されて金型が閉じられる前に、上面が金型を向いた状態で上述の領域に配置される。金型、履物の型、および履物甲部を形成する裁断片によって、金型および履物の型の間に形成される特定の隙間部（履物の足底部の位置となるような隙間部）へと通じるチャネル網が画定される。その後、溶融樹脂材が金型内に注入され、チャネルおよび隙間部の全てを満たす。また融解樹脂材は、冷却時に履物甲部を形成する裁断片を互いに結合させるよう、履物甲部を形成する裁断片と接触する。
【０００８】
金型を開くと、継ぎ目の無い履物物品が製造され；上述のチャネル部が形成する経路に対応するリッジ部により、裁断片全てが分離されており；上記リッジ部は、履物甲部を形成する裁断片を結合するように機能している。
【０００９】
上述の方法では、各金型は、固定数の裁断片から甲部および位置が形成される１つの履物モデルを製造するためにのみ使用可能である。上述の方法はこの点で不利となる。
【００１０】
上述の方法の場合、単一の裁断片を含む裏地を使用することが考えられる；この裏地は、履物の型に貼り付けられる、事前に作製される種類の底革である。これにより、製造方法の費用がより高額になるとともに、裏地へ皮革または非伸縮性の材料を使用することが困難になってしまう。
【発明の概要】
【発明が解決しようとする課題】
【００１１】
本発明の目的は、柔軟性を有する裁断片から成り、その固有特性により上述の課題を解消することの可能な三次元の物品（履物、衣類、および装飾品など）の製造方法である。
【課題を解決するための手段】
【００１２】
本発明の方法は、製造対象の三次元の物品の表地を形成する材料を裁断し、金型および対金型を準備することにより、上述のプロセスと同様の様式で開始する。対金型は、製造対象の三次元物品の体積を再現する。例えば、履物を製造する場合、上記対金型は靴型の形態を採る；衣類（例えば、グローブ、ズボン、ジャケットなど）を製造する場合、上記対金型は衣類に対応する身体部分の形態を採る。鞄を製造する場合、上記対金型は鞄の内部体積などの形態を採る。
【００１３】
本発明によれば、連続して配置される、表地を形成する裁断片を互いに隔てるラインと一致するチャネル網が、表地を形成する裁断源と上記金型および上記対金型の表面とによって画定されるように、上記金型および上記対金型の何れについても、表地を形成する裁断片を載置する領域内の対向面には突出部またはリッジ部を含んでいない。通常、樹脂材料はこれらチャネル内に注入される。
【００１４】
さらに、上記金型および上記対金型は、表地を形成する裁断片の集合体の体積に対応する、突出部を含まない表面によって限定される空洞部を画定する。これにより、異なるサイズおよび外形の裁断片だけでなく異なる数の裁断片についても、上記金型の使用が可能になる。これにより、同一の金型を使用して、異なる物品のモデルおよびデザインを作製することが可能になる。さらに、リッジ部の不在により、隣接する裁断片の対向縁部が互いに接触するように、表地を形成する裁断片を配置することが可能になる。したがって、製造する三次元の物品を形成する裁断片はリッジ部によって互いから隔てられなくなる。
【００１５】
一般的に、表地は皮革の裁断片のみから構成される。これら裁断片は、上記金型の内面に配列される。また、表地は、上記表地が金型の内面上に配列される裁断片を備えているのと同様に対金型の外面上に配列される別箇の裁断片を備えている裏地を有し得る。また、表地は裏地を有していてもよく、上記裏地は表地と同様に、上記対金型の外面に配列される個々の裁断片を含む。
【００１６】
皮革に形成する連続的な切れ目は、隣接するエッジ部が互いに接触するか、または互いから僅かに分離されるように配置され得る。連続する皮革の裁断片は、隣接する縁部が互いに接触するよう配列されてもよく、または互いから僅かに離されてもよい。このように裁断片を互いから離して配列することにより、裁断片と上記金型または上記対金型の表面または裏地とが協働してチャネル網を画定する。これらチャネルを介して樹脂材が注入される。
【００１７】
何れの場合においても、皮革の裁断片は、上記金型または上記対金型の対向面または裏地と協働してチャネル網を画定するよう機能する刈り込まれた縁部を含んでいてもよい。上記チャネル網を介して樹脂材が注入される。
【００１８】
後述するように、皮革の裁断片の上面側または下面側は刈り込まれてもよい。皮革の裁断片の上面側または下面側を刈り込むことにより、表地を形成する裁断片と注入される樹脂材との間の表面接触が増大する。これにより結合領域が増大する。
【００１９】
上面側は、視認されることが意図される側の皮革表面を指す。下面側は、上記皮革表面と反対側の皮革表面を指す。
【００２０】
刈り込みが広くなるほど、より大きな表面接触が実現される。しかし、通気性を確保することが重要であるため、付着性と通気性との間で妥協することが必要となる。
【００２１】
皮革の裁断片を隔てるラインと、裏地を形成する皮革の裁断片を隔てるラインとは、互いに一致していてもよい。したがって、注入される樹脂材がこれら裁断片の集合体を互いに結合させることを可能にする。
【００２２】
表地は、嵩の多寡が異なる裁断片から構成されていてもよい。製造される物品の表面では、より嵩高い裁断片は嵩高くない裁断片よりもさらに突出している。
【００２３】
上記金型は、皮革の裁断片の間隙と一致するチャネルを有していてもよい。上記チャネルは皮革の裁断片の間隙よりも幅広く、全体としてチャネル網を形成する。上記チャネル網を介して樹脂材が注入される。
【００２４】
本発明によれば、表地を形成する切断片と注入した樹脂材とが確実に接着するように、注入対象の樹脂材と類似または適合する接着物質が裁断片の刈り込まれた縁部に塗布されてもよい。接着剤を刈り込まれた縁部に塗布することにより、表地を形成する多様な裁断片が確実に高強度で接着することになる。
【００２５】
表地を形成する裁断片全てが載置された後、上記対金型は、裁断片の上面側に在る上記金型内に嵌め込まれる。裁断片の下面側が刈り込まれている場合、上記対金型は、連続する裁断片の隣接する刈り込まれた縁部と協働してチャネル網を画定する。履物の場合、上記チャネル網は、靴底部が配置される空隙へと通じるか、またはこの空隙内に終端を有する。材料の上側が刈り込まれている場合、上記金型の表面は、連続する裁断片の隣接する縁部と協働して上述のチャネル網を画定する。さらに、この場合では、完成物品の表地を形成する裁断片の間に区分けするリッジ部が現れる。
【００２６】
上記対金型が載置されると、上記金型は閉じられ、上述の全チャネルと（履物を製造する場合では）靴底部が配置される空隙とが充填されるまで上記金型の内部に樹脂材が注入される。これら両方を目的として多種の樹脂材が使用されてもよい。
【００２７】
使用する樹脂材は、その種類および性質（例えば、熱可塑性や熱安定性などの種類）が異なっていてもよい。また、樹脂材は注入システムを介して注入されてもよい。
【００２８】
注入した樹脂材が凝固すると、上記金型が開けられ、製造した物品が回収され；上記対金型も物品から取り外される。
【００２９】
表地を形成する裁断片と上記金型および上記対金型の表面との間のチャネルを充填するよう注入される樹脂材の種類に関わらず、裁断片を互いに結合するための骨格を形成するリッジ部が形成される。
【００３０】
表地を形成する裁断片の下面側が刈り込まれている場合、上述のリッジ部は、製造後の物品の外観において視認されることはない。一方、これらリブ部が裁断片の上面側に形成されている場合、これら上記リッジ部は、製造後の履物または衣類の表地において視認されることになる。
【００３１】
製造される履物の靴底部は通常の方法で形成されてもよく、ゴムが注入されてもよく、または、取り付け品（例えば、革製の靴底部、ヒール部、および空洞部など）として金型内に組み入れられる要素から成るものであってもよい。その後、上記靴底部は、注入された樹脂材が形成するリッジ部の先端と表地を形成する裁断片の隣接するエッジ部とに取り付けられる。
【００３２】
また、表地を形成する裁断片は、製造後に三次元の物品の表面から容易に除去することが可能な接着剤を使用して、上記金型の対応する表面に貼り付けられてもよい。また、上記裁断片は、金型内面に達するよう上記金型に形成され、吸気システムまたは空気抽出システムに接続される小孔を介した吸気により貼り付けられることも可能である。
【００３３】
また、裁断片の高速載置に吸気接着システムを役立ててもよい。
【００３４】
上記接着システムを上記対金型に使用してもよい。これにより、裏地を継ぎ目無く作製することができる。
【００３５】
本発明の方法は、従来の物品のように見えるものの、表地を形成する裁断片の間に結合継ぎ目が存在しないという独自の特徴を有している最終完成物品の製造を促進する。上記物品は、装飾のみを目的として継ぎ目を有することがある。上記継ぎ目は、裏地の多様な裁断片を隔てるラインと一致していてもよいが、一致していなくてもよい。さらに、壊れやすい箇所の分離を防止するために、補強継ぎ目を使用してもよい。
【００３６】
本発明の方法は、同一の基礎部分（すなわち、裁断片が異なることを除き、上記金型および上記対金型とそれぞれ同一の金型および対金型により画定される上記体積と同一の体積）を用いて幾つかのモデルを開発することを可能にする。金型の基礎部分は最もコストが掛かる部分であるが、上記オプションでは同一の金型を引き続き採用しているため、モデル化および開発のコストを著しく低下させる。これにより、多様なモデルを作製することを可能にしている。さらに、上記金型および上記対金型の間に画定される領域の部分は、表地を形成する裁断片に応じて体積を限定するよう機能する、充填部または部分的に増やされた上記対金型の体積で充填されてもよい。
【００３７】
表地を形成する裁断片は、上記金型内に配列される前に、完成後の物品内で配列されているのと同じ方法で配列されている状態で可塑性の層状型板に貼り付けられてもよい。上記型板は、これに貼り付けられる表地を形成する裁断片と一緒に、上記金型の内面の形状にされる。
【００３８】
上記型板を使用することにより、２つ以上の部分を備える金型を使用することが可能になる。この金型では、上記部分の２つを隔てるラインが裁断片の１つを横断していてもよい。
【００３９】
表地を形成する裁断片を互いの縁部が接触するように配置するため、プリント樹脂型板が使用されてもよい。接着材面を一方の側に有し、プリント面を他方の側に有する透明紙を提案する。上記透明紙のプリント面の側には、必要な場合、皮革の各裁断片の輪郭および対応の参照番号を含めることができる。皮革の裁断片は、上記接着材面の側に対してひとつずつ順番に貼り付けられる。これにより、皮革の裁断片を金型外に載置するのに要する時間を節約している。このため、上記金型の開口時、上記型板は単純に載置されればよい。なお、上記型板は、上記対金型と同様に三次元のものとしてもよい。これにより、透明なガイド型板が模倣される。樹脂材が注入されて凝固すると、樹脂型板を取り除くことが必要になる。
【００４０】
必要な場合、裏地を形成する裁断片を載置するのに上述の方法と同一の方法を適用してもよい。
【００４１】
本発明の方法の他の利点は、身体表面と運動時に（具体的には関節において）生じる変化とに対してより大きな適合を容易にする、柔軟性および幾分かの伸縮性を有するリッジ部を形成することが注入対象の樹脂材により可能となるモデルを作製することが可能となることである。この理由により、一部の物品ではより大きな伸縮性が要求される一方で、他の物品ではより大きな抵抗性が要求されることを考慮して、多様な注入樹脂材を有する物品の製造が実現可能となる。これにより、表地を形成するのに必要とされる切片の数と、注入対象の材料の種類と、製造対象の最終物品内の切片の配列方法とに応じて金型の開発を行うことに対する要求が生じる。
【００４２】
さらに、本発明の方法は、製造方法専用の機械が開発される場合、製造を機械化することを可能にする。これにより金型の開口処理が向上され、表地を形成する裁断片を無人操作によって載置し、その後に多様な構成要素の開封および取り外しを無人操作または機械操作によって行うことが可能になる。
【００４３】
本発明の方法では、表地を形成する裁断片は、例えば装飾を目的として、注入前に行う平刺し法（平縫い）により貼り付けられてもよい。その一方で、表地の主要構造を構築するために如何なる継ぎ目も必要としない。また、装飾を目的として壊れやすい領域（屈曲箇所、または、場合によっては屈曲箇所および屈曲領域）を補強するために、物品の引き出しを行う前後何れかにおいて幾つかの箇所を縫い付けることすらも可能である。
【００４４】
さらに、本発明の方法は、樹脂材の注入前に金型の表面を覆う皮革または布の裏地を組み込むことが可能である。これにより、表地および裏地を備える物品が実現され、上記物品の表地および裏地の間の注入樹脂材のリッジ部は視認されることのない状態のままである。したがって、物品の内側を見た場合、裏地のみが視認可能であり、皮革の裁断片の下面側または注入樹脂材のリッジ部は視認されず；裏地は注入樹脂材のリッジ部に貼り付けられている。また、接着剤は、表地に対して一様に貼り付くよう確実にするために皮革の下面側に塗布され；使用される接着剤は、皮革の通気性を防止するものであってはならない。
【００４５】
物品の表地と同様に、裏地は、上記対金型に配列された個々の裁断片から構成されてもよい。また、裏地は、光固化接着剤を使用して、上記金型の説明で記述した真空システムと同様の真空システムを介して上記対金型に対して一時的に貼り付けられてもよい。上記真空システムは、上記対金型の表面へ通じる孔を有し、真空機器の一部に接続されるなどしている。
【００４６】
裏地の切片を隔てるラインは、表地を形成する裁断片の間に画定されるチャネルの少なくとも幾つかと一致し、上記チャネル内に注入される樹脂材により、裏地を形成する裁断片が結合するよう構成されてもよい。
【００４７】
初期工程では、表地を形成する裁断片および裏地を形成する裁断片は、樹脂材からなる帯電シートまたは帯電フィルムに適宜貼り付けられてもよい。この静電気により、シートまたはフィルムは上記金型または上記対金型の内面に貼り付けられる。このシステムにより、表地を形成する裁断片を上記金型上に載置すること、および裏地を形背する裁断片を上記対金型上に載置することが著しく簡略化される。
【００４８】
特定の場合では、表地を形成する裁断片を結合するよう注入された樹脂が外部表面（すなわち、上面側）に滲出するリスクが存在する。
【００４９】
上記リスクについては、上記金型の表面、表地を形成する裁断片の外面側、および／または表地を形成する裁断片が載置される型板の内面に処理を施すことにより、回避することが可能である。その後、上記金型および上記型板の表面は注入された樹脂材を弾くことができるので、表地を形成する裁断片の上面側に樹脂材が滲出することを防止する。例えば、表地を形成する裁断片が配列される上記金型の表面領域に対して、一時的なコーティングまたはシリコーンコーティングが塗布されてもよい。同様に、表地を形成する裁断片が配列される上記型板の表面に対して、シリコーン系接着剤または特定種類の注入対象樹脂をはじく他の材料が塗布されてもよい。最後に、表地を形成する裁断片および裏地を形成する裁断片の上面に対して、注入対象の樹脂材を化学的に弾く一種のシリコーンまたはワックスを塗布することも可能である。
【００５０】
上記対金型に裏地を貼り付ける場合、同一の問題が発生し得る。このことは、表地の説明で記述した上述の方法と同じ方法（すなわち、注入対象の樹脂材を弾く物質を上記対金型の表面および／または裏地の内面に塗布すること）により解決することができる。
【００５１】
上述のように、上記金型は２つ以上の部分を備える。これら２つ以上の部分の個々の特性により、上記システムの何れかを用いて、表地を形成する裁断片を内面に簡易に載置することが容易になる。
【００５２】
加えて、製造対象の物品の少なくとも特定の領域では、上記金型の一部は、上記金型の隣接部の外に移動されてもよい。したがって、上記金型および上記対金型の間に画定される体積は、例えば特定の領域に注入された樹脂材が凝固するにつれ膨張するのを容易にするように、特定の領域が異なっていてもよい。この可能性は、例えば履物の製造の場合では、靴底部に対応する上記金型の部分に関しても言えることである。また、例えば衣類の隣接部分より厚い部分（襟および袖口など）の製造の場合でも、対応する上記金型の部分に関しても言えることである。このような目的に対して、追加の試薬と一緒に膨張して凝固することの可能な樹脂は当然使用される。
【００５３】
さらには、製造対象の物品の特定の部分または要素は、必要であれば、剛性および抵抗性を有する部分（例えば、金属素材から構成される部分）を物品内部に挿入して補強されてもよい。この種の補強は、例えば履物のヒール部およびウエスト部を製造するのに適用される。
【図面の簡単な説明】
【００５４】
本発明の製造方法を添付の図面に示す。添付の図面は非限定的例を示すよう意図されたものである。
【図１】履物の製造に使用する対金型の俯瞰図であり、本発明の方法を示す。
【図２】履物の製造に使用する金型および対金型を図１の線ＩＩ−ＩＩに沿って示す縦断面図である。
【図３】履物の甲部を形成する裁断片の１つを示す横断面図である。
【図４】図２の詳細Ａを示す拡大図であり、金型と金型内部の対金型との内面上に配置される、履物の甲部を形成する裁断片を示す。
【図５】金型が閉じられる前に行われる多様な要素の載置方法時の金型の位置、履物の甲部を構成する裁断片、および対金型を示す概略図である。
【図６】図５と同様の概略図であり、金型を閉じた後の多様な要素の位置を示す。
【図７】図５と同様の概略図であり、上述の実施形態に代替的な実施形態を示す。
【図８】図６と同様の概略図であり、上述の実施形態に代替的な実施形態を示す。
【図９】本発明の方法に従い製造される履物の構造または骨組を示す。なお、甲部を形成する裁断片は図示しない。
【図１０】本発明の方法に従い製造される、図７に示す構造または骨組を有する履物の側面図である。
【図１１】図２と同様の図を示し、対金型に配置される、裏地を形成する裁断片を含んでいる。
【図１２】図２と同様の図を示し、代替実施形態を示す。
【図１３】図４と同様の図を示し、液体樹脂を受容する表面を画定する対金型内のリッジ部を示す。
【図１４】図１４の細部Ｂを示す拡大図である。
【図１５】履物の甲部を形成する裁断片が縁部が重なり合うように連続して配置されている様子を示す。
【図１６】図１５の細部Ｃの拡大図を示す。
【図１７】表地を形成する裁断片と裏地を形成する裁断片との間に形成し得る多種の可能な結合の横断面図である。
【図１８】表地を形成する裁断片と裏地を形成する裁断片との間に形成し得る多種の可能な結合の横断面図である。
【図１９】表地を形成する裁断片と裏地を形成する裁断片との間に形成し得る多種の可能な結合の横断面図である。
【図２０】表地を形成する裁断片と裏地を形成する裁断片との間に形成し得る多種の可能な結合の横断面図である。
【図２１】表地を形成する裁断片と裏地を形成する裁断片との間に形成し得る多種の可能な結合の横断面図である。
【図２２】表地を形成する裁断片と裏地を形成する裁断片との間に形成し得る多種の可能な結合の横断面図である。
【図２３】表地を形成する裁断片と裏地を形成する裁断片との間に形成し得る多種の可能な結合の横断面図である。
【図２４】表地を形成する裁断片と裏地を形成する裁断片との間に形成し得る多種の可能な結合の横断面図である。
【図２５】表地を形成する裁断片と裏地を形成する裁断片との間に形成し得る多種の可能な結合の横断面図である。
【図２６】衣類物品を製造するために使用される対金型を示す。
【図２７】衣類物品を製造するために図２６に示す対金型と一緒に使用される金型の一部を示す。
【図２８】衣類物品を製造するために図２６に示す対金型と一緒に使用される金型の他部を示す。
【図２９】図２６〜２８に示す金型および対金型と一緒に、製造対象の衣類の表地を形成する裁断片の集合を示す。
【図３０】チャネル網の概略図であり、図示されるチャネル網を介して樹脂材料が注入される。
【図３１】図２６〜２８に示す金型を用いて製造される衣類の正面図である。
【発明を実施するための形態】
【００５５】
本発明の方法の特徴および利点は、図１〜１７に示す履物の製造および図２７〜３２に示す衣類物品の製造に適用する、可能な一実施形態の以下の説明により、より良く理解されるであろう。
【００５６】
本発明の方法を用いた履物の製造は、図１、２、および４に示す金型および対金型を用いて行われる。
【００５７】
図示する例では、金型は２つの独立した部分１および２を備え、対金型は靴型から構成される。上記部分１の内部に靴型３を載置し、上記金型を閉じるように上記部分１に上記部分２を連結すると、上記金型と上記対金型との間に製造対象の履物の甲部および足底部に対応する空隙または体積が形成される。
【００５８】
上述の方法で上記金型および上記対金型が準備された後、履物の甲部を形成するため裁断片４（図３）が裁断される。裁断片は、所望の履物デザインに対応する特定の輪郭を有しており；裁断片の縁部５が好ましくは下面側７で刈り込まれる。その後、図４に示すように、裁断片は、上面７’が上記金型の表面に対向した状態で上記金型の部分１の内面上に載置される。多様な裁断片は、刈り込まれた縁部５が互いに完全に接触するように連続して配置される。
【００５９】
履物の甲部を形成する裁断片４が全て載置されると、対金型を形作る靴型３が下面側に結合される。これより、裁断片４の互いに接触している刈り込まれた縁部５と上記金型の部分１および上記靴型３の間に画定される空隙８（裁断片４は除く）（図２）と、上記靴型および上記金型の部分２の間に画定され、履物の靴底部または底部に必要とされる空隙に対応する空隙９と協働して、チャネル６（図４）の外形が形成される。
【００６０】
図５および６は、上記金型を閉じる前の多様な要素の相対位置を示す概略図である。履物の甲部を形成する裁断片４は、上面７’が上記金型１と対向した状態で上記金型１の内面上に載置される。裁断片４の刈り込まれた縁部５は互いに完全に接触しているか、または非常に近接している。裁断片４の下面側７には上記靴型３または上記対金型が結合される。図６および８は多様な要素の位置を示し、上記金型１および上記対金型３が結合されると、上記裁断片４と、上記金型１と、上記対金型３とが協働してチャネル６の外形を形成する。上記チャネル（６）を介して樹脂材が注入される。
【００６１】
上記靴型３が上記金型１の内部に結合され、上記金型１が上記部分２によって閉じられると（図２）、上記チャネル６および上記空隙８および９を充填する樹脂材が注入され、図９に示すような装甲（外装）または骨格を形成する。上記装甲または骨格は、上記チャネル６の容積に対応するリッジ部１１と、図２および４に示す空隙８の容積に対応する部分１２と、上記靴型３および上記金型の閉塞２の間の空隙８の容積に対応する靴底部または底部１３とから構成される。
【００６２】
樹脂が注入された後、上記金型１が開けられ、履物および上記靴型が取り出される。これにより、図１０に示すように、上記金型１内に最初に配置され、注入される樹脂材から成るリッジ部１１により互いに継ぎ合わされた裁断片４を備える履物の物品が製造される。上記履物は、上記靴底部１３、爪先部、および、領域または本体１２に対応する補強材を備える。
【００６３】
履物の甲部を形成する裁断片４を縁部の接触した状態で上記靴型内に配置する場合、裁断片４を隔てる狭ライン１４のみが履物の外側面上にて視認される。履物の甲部を形成する裁断片４を互いから僅かに隔てて上記靴型内に載置する場合、図示するように、製造される履物物品において、これら裁断片４は注入される樹脂材から成るリッジ部により隔てられる。上記リッジ部の幅は、上記裁断片４を互いから隔てた状態で上記金型内に配置する場合の裁断片間の間隙の程度に対応する。
【００６４】
また、履物の甲部を形成する裁断片４の刈り込まれた縁部は、図７および８に示すように材料の上側７’に形成されてもよい。この場合、上記チャネル６は、刈り込み５と上記金型の部分１の内面との間に画定される。この実施形態では、図８に示すように、履物の甲部を形成する裁断片４を隔てる上記チャネル６の幅に対応するバンドが、製造後の履物の視認表面上に見られる。
【００６５】
既に説明したように、注入する樹脂材の性質は、形成されるリッジ部１１が柔軟性を有し、部分的に伸縮性を有することになるので、製造する履物は、足の表面に対して適応すること、および履物のユーザーの歩行時に足（特に関節部）に生じる変化に対して適応することがより可能になる。
【００６６】
上記裁断片４は、接着物質により上記金型の内面に貼り付けられてもよい。または、吸気システムを使用することにより上記金型の内面に貼り付けられてもよい。上記吸気システムの使用は、上記金型１の内面へ通じる孔を介して行われる。
【００６７】
履物の甲部を形成する裁断片４の刈り込まれた縁部５に注入樹脂材が完全に結合することを確実にするために、樹脂材の注入前において、注入対象の樹脂材と適合する接着剤を上記裁断片４の刈り込まれた縁部５に塗布してもよい。
【００６８】
装飾および補強のみを目的として、特定の隣接する裁断片は、樹脂材の注入前に縫い付けにより互いに継ぎ合わされてもよい。
【００６９】
また、履物の裏地は、甲部について説明したのと同一の方法により、裁断片１５（図１１）から構成されてもよい。裁断片１５は、上記方法の何れかを用いて靴型３に配置されている。履物の裏地を形成する裁断片１５の数は、履物の甲部を形成する裁断片４の数以下であってもよい。しかし、履物の甲部の裁断片４の間に結合リッジ部１１を形成する注入樹脂材が履物の裏地を形成する裁断片１５を互いに結合させて、これを履物の甲部に結合させるよう作用できるように、履物の裏地の裁断片を隔てるライン１６は履物の甲部を形成する裁断片４を隔てるチャネル６と一致することが好ましい。継ぎ目の無い裏地はこうして製造され、履物の甲部に履物の裏地の裁断片を結合する樹脂性のリッジ部は、これら履物の裏地および甲部の間に在ることで視認されないようにする。
【００７０】
また、図１１は、履物の甲部の裁断片４が配置される表面を画定する金型の周縁リッジ部１７を示す。
【００７１】
図１２に示すように、上記金型１および上記靴型３の間に画定される容量の一部は、履物の甲部を形成する裁断片４に割り当てられる体積を制限する付属品または充填部分１８によって占められる。したがって、充填部分１８を設けずに上記金型１および上記対金型３を使用する場合、ブーツ型の履物の物品が製造可能である。反対に、充填部分１８を挿入する場合、靴形状の履物の物品が製造される。これにより、単一の金型を使用して多様な履物モデルを作製することが可能になる。
【００７２】
図１３および１４に示すように、靴底部を形成するために樹脂流体で充填されるよう意図される表面は、上記金型１に関連するリッジ部１９によって制限されてもよい。上記リッジ部１９は、皮革の裁断片４の隣接する縁部の深さよりも高くなっている。上述のように、これら皮革の裁断片４は、裁断片４を上記金型１の表面上に配置するのを容易にする層状型板（テンプレート）２０上に固定されてもよい。上記リッジ部１９の位置により、靴底部に注入された樹脂流体２１は、図１４に参照番号２１’で示すように、リッジ部より高位になった場合に皮革の裁断片４上に流れ落ちる。これにより、皮革の裁断片４は上記金型１の側に押しつけられるので、上記樹脂流体２１が上記金型１と接している皮革面に浸透することは防止される。
【００７３】
図１５および１６に示すように、連続して配置されている、履物の甲部を形成する裁断片４の対向して隣接する縁部２２〜２２’は互いに重畳してもよく、例えば縫い付け２３により互いに結合されてもよい。上記縁部２２〜２２’の縫い付け２３は、金型内に切断片を導入する前に行われる。上記縁部２２〜２２’は、互いに重畳する場合ではその厚さが裁断片４の厚さと実質的に等しくなるように深さが刈り込まれてもよい。これにより、同一の金型を用いて異なる履物モデルを作製することが可能になる。
【００７４】
図１７〜２５は、製造対象の物品の表地を形成する裁断片と裏地を形成する裁断片との間の多種の可能な結合の断面である。
【００７５】
図１７は、皮革の裁断片４と裏地を形成する裁断片１５とが、注入された樹脂材が形成するリッジ部１１により互いに結合される方法示す。皮革の裁断片４は刈り込まれた縁部が互いから僅かに離された状態で配列されている。
【００７６】
図１８は、皮革の裁断片４〜４’の深さが異なる一つの可能な実施形態を示す。皮革の裁断片４〜４’の深さが異なることは、製造された履物または衣類の表地においてのみ確認することが可能である。
【００７７】
図１９および２０は、リッジ部１１が、装飾を目的として、製造された履物または衣類の外面から突出してもよく、履物または衣類の柔軟性領域に伸縮性を付与することを示す。何れの場合でも、皮革の裁断片４の縁部は刈り込まれており、図１９では、裏地を形成する裁断片１５は、図１９に示すようにリッジ部１１によって結合されているのに対し、図２０では裏地は設けられていない。
【００７８】
図２１では、樹脂材の裁断片４と裏地を形成する裁断片１５とに結合するよう機能するリッジ部２１は、上記裏地を形成する裁断片１５を部分的に隔てることにより、皮革の裁断片４と対金型との間に画定されるチャネルによって形成される。この実施形態は、リッジ部が刈り込み不可能な裁断片４についても適用される。
【００７９】
同一の条件では、図２２に示すよう構成される表地が製造されてもよい。この構成では、リッジ部１１は、中間にある裁断片１５’を部分的に隔てることにより、表地を形成する裁断片４と裏地の裁断片１５との間に限定される。上記中間にある裁断片１５’は、例えば布地または発泡体の支持体を有している。
【００８０】
図２３は代替構成を示す。上記代替構成では、リッジ部１１が、金型内面に形成されるリッジ部またはチャネル部によって作製される。上記代替構成は、表地を形成する裁断片４のエッジ部が刈り込み不可能な場合に適用されてもよい。同様に、図２４および２５に示す実装系が取得されてもよい。図２５に示す実装系の場合では、表地は裏地を含まない。何れの場合でも、リッジ部は、装飾を目的として表地の外面から突出しており、屈曲箇所に伸縮性を付与する。
【００８１】
図２６は対金型２４を示す。上記対金型２４は、金型を形作る図２７および２８の要素２５および２６と協働して、図３１に示す衣類２７の物品を製造することを可能にする。図２９は、表地を形成する裁断片４の構成を示す。図２９に示す裁断片４の構成では、裁断片４を互いから隔てることにより、金型の要素２５および２６と対金型２４との間に画定されるチャネル６を決定し、且つ、図３０に示すようにリッジ部１１の骨格構造を作製することを可能にしている。上記リッジ部１１の骨格構造は、その後、上記裁断片４を結合するように機能する。
【００８２】
製造された衣類２７の特定の部分または領域（例えば、襟２８および袖口２９に関連する領域）は他の部分または領域よりも分厚くなっている。さらに、衣類は、上記方法を用いて補強した領域を有していてもよい。このことは、例えば、脇の領域３０および特に肘の領域３１に適用される。
【図１】
0005972982.tif 000002
【図２】
0005972982.tif 000003
【図３】
0005972982.tif 000004
【図４】
0005972982.tif 000005
【図５】
0005972982.tif 000006
【図６】
0005972982.tif 000007
【図７】
0005972982.tif 000008
【図８】
0005972982.tif 000009
【図９】
0005972982.tif 000010
【図１０】
0005972982.tif 000011
【図１１】
0005972982.tif 000012
【図１２】
0005972982.tif 000013
【図１３】
0005972982.tif 000014
【図１４】
0005972982.tif 000015
【図１５】
0005972982.tif 000016
【図１６】
0005972982.tif 000017
【図１７】
0005972982.tif 000018
【図１８】
0005972982.tif 000019
【図１９】
0005972982.tif 000020
【図２０】
0005972982.tif 000021
【図２１】
0005972982.tif 000022
【図２２】
0005972982.tif 000023
【図２３】
0005972982.tif 000024
【図２４】
0005972982.tif 000025
【図２５】
0005972982.tif 000026
【図２６】
0005972982.tif 000027
【図２７】
0005972982.tif 000028
【図２８】
0005972982.tif 000029
【図２９】
0005972982.tif 000030
【図３０】
0005972982.tif 000031
【図３１】
0005972982.tif 000032